【手続補正書】
【提出日】平成17年10月20日(2005.10.20)
【手続補正１】
【補正対象書類名】特許請求の範囲
【補正対象項目名】全文
【補正方法】変更
【補正の内容】
【特許請求の範囲】
【請求項１】
特定成分の物質を収容するリザーバと
各々がボアを有する１本以上の針と、
各針の前記ボアを通して生体の目標部位とリザーバとの間で物質をポンプ作用で輸送するアクチュエータと、
を備えた経皮的輸送装置であって、
前記針は前記装置を前記生体に付着させ、
前記ボアが針の第１端部から針の第２端部までの針の長さに沿って延びており、前記装置が前記生体の体表面に置かれたとき、前記第２端部が前記体表面と平行な面にほぼ整列する経皮的輸送装置。
【請求項２】
請求項１において、前記第２端部が前記面内を移動して前記体表面に貫入する経皮的輸送装置。
【請求項３】
請求項１において、前記アクチュエータが前記物質を前記生体内に注入する経皮的輸送装置。
【請求項４】
請求項１において、前記アクチュエータは可逆性アクチュエータであり、前記物質をヴァイアル内に吸引する経皮的輸送装置。
【請求項５】
請求項１において、前記アクチュエータの電源が遮断されているとき、各針が格納状態にある経皮的輸送装置。
【請求項６】
請求項１において、前記アクチュエータが蒸気発生器を備えている経皮的輸送装置。
【請求項７】
請求項１において、前記アクチュエータが電気化学的反応によって動作する経皮的輸送装置。
【請求項８】
請求項１において、前記アクチュエータが導電性ポリマーである経皮的輸送装置。
【請求項９】
請求項１において、さらに、各針の前記第２端部を該端部の長手方向に振動させる振動子を備え、この振動作用により前記針を体内に貫入するのに必要な力を減少させる経皮的輸送装置。
【請求項１０】
請求項９において、前記振動子が前記針の振動を発生させる圧電結晶である経皮的輸送装置。
【請求項１１】
請求項１において、さらに、患者の状態を監視するセンサを備えた経皮的輸送装置。
【請求項１２】
請求項１１において、前記患者の状態が患者のグルコース濃度の状態である経皮的輸送装置。
【請求項１３】
請求項１２において、前記物質が患者に注入されるインシュリンであり、この注入されるインシュリンの量が前記グルコース濃度に基づく経皮的輸送装置。
【請求項１４】
請求項１において、さらに、ベース部および制御ユニットを備え、各針がこのベース部内に位置する経皮的輸送装置。
【請求項１５】
請求項１４において、前記ベース部および制御ユニットが、接続可能な別個のユニットである経皮的輸送装置。
【請求項１６】
請求項１において、前記第２端部が傾斜面を有している経皮的輸送装置。
【請求項１７】
請求項１６において、前記傾斜面が面取りされた経皮的輸送装置。
【請求項１８】
請求項１において、さらに、前記輸送装置に動作指令を与えるコントローラを備えた経皮的輸送装置。
【請求項１９】
請求項１において、前記針のうち少なくとも１本が、中実の先端と、前記ボアの周りに該先端に沿って位置する開口とを有する経皮的輸送装置。
【請求項２０】
請求項１において、前記アクチュエータが前記第１端部をリザーバ内に移動させることにより、前記ボアがリザーバと流体連通している経皮的輸送装置。
【請求項２１】
請求項１において、さらに、各針の前記第２端部を前記面内で動かすロータリ・アクチュエータを備えた経皮的輸送装置。
【請求項２２】
請求項１において、各針が曲げられて曲げ部を有している経皮的輸送装置。
【請求項２３】
特定成分の物質を収容するリザーバと、
前記リザーバと生体との間で前記物質の輸送を行う針と、を備えた経皮的輸送装置であって、
前記針が、針の全長にわたって針の第１端部から針の第２端部まで延びるボアを有しており、前記装置が生体の体表面に置かれたとき、前記第２端部が前記体表面と平行な面にほぼ整列し、さらに前記第２端部が傾斜した先端を有しており、この先端に前記物質を放出する開口を設けて、前記生体内への前記物質の拡散方向を制御している経皮的輸送装置。
【請求項２４】
請求項２３において、さらに、１本以上の追加の針を備えた経皮的輸送装置。
【請求項２５】
請求項２３において、前記針が約３０μｍ〜２５０μｍの外径を有する経皮的輸送装置。
【請求項２６】
請求項２３において、前記針が約１０μｍ〜１００μｍの内径を有する経皮的輸送装置。
【請求項２７】
請求項２３において、前記先端が約１０°〜６０°で傾斜している経皮的輸送装置。
【請求項２８】
請求項２３において、前記針が３０４ステンレス鋼で製作されている経皮的輸送装置。
【請求項２９】
特定成分の物質を収容するリザーバと、
中空経路を有する針と、を備えた経皮的輸送装置であって、
前記中空経路を通して前記物質が前記針の端部と前記リザーバとの間で輸送され、
前記端部が、長手方向に沿って複数の開口を有し、前記物質がこの複数の開口を介して輸送される経皮的輸送装置。
【請求項３０】
請求項２９において、さらに、１本以上の追加の針を備えた経皮的輸送装置。
【請求項３１】
請求項２９において、前記針が約３０μｍ〜２５０μｍの外径を有する経皮的輸送装置。
【請求項３２】
請求項２９において、前記針が約１０μｍ〜１００μｍの内径を有する経皮的輸送装置。
【請求項３３】
請求項２９において、前記針が１個〜２０個の開口を有している経皮的輸送装置。
【請求項３４】
請求項３３において、前記開口が互いに約１００μｍ〜２ｍｍの間隔で離れている経皮的輸送装置。
【請求項３５】
請求項３３において、前記針が皮膚を貫通したとき、前記開口が、皮膚表面とは反対の方向に向いている該針の側面に沿って位置している経皮的輸送装置。
【請求項３６】
請求項３５において、前記針が３０４ステンレス鋼で製作されている経皮的輸送装置。
【請求項３７】
請求項３５において、前記針が中実の先端を有している経皮的輸送装置。
【請求項３８】
特定成分の物質を収容するリザーバと、
ボアを有し、このボアを通して前記リザーバと生体との間で前記物質が輸送される針と、
前記物質を前記リザーバと生体との間でポンプ作用により輸送するアクチュエータと、
前記アクチュエータに所望の量の物質をポンプ作用で輸送するよう指令するコントローラと、を備え、
前記所望の量が生体の入力特性に依存している経皮的輸送装置。
【請求項３９】
請求項３８において、前記所望の量の物質が前記リザーバから特定の期間にわたって投与される経皮的輸送装置。
【請求項４０】
請求項３９において、前記期間が１秒〜１０日間である経皮的輸送装置。
【請求項４１】
請求項３９において、前記所望の量の物質が、時間の経過とともに増加するように投与される経皮的輸送装置。
【請求項４２】
請求項３８において、前記生体が人間の患者である経皮的輸送装置。
【請求項４３】
請求項３８において、前記所望の量の物質が、特定の期間にわたって患者から前記リザーバに吸入して採取されるサンプルである経皮的輸送装置。
【請求項４４】
特定成分の前記物質を収容するリザーバを有する輸送装置を、生体の体表面に置き、
前記装置を体表面に置いたとき、該体表面と平行な面にほぼ整列する終端部を有する針を前記生体内に挿入し、
前記針のボアを通して、前記生体の目標部位と前記リザーバとの間で前記物質をポンプ作用で輸送する、各ステップを含む、特定成分の物質を輸送する方法。
【請求項４５】
請求項４４において、前記挿入ステップが、前記終端部を前記面内で移動させることを含む方法。
【請求項４６】
請求項４４において、前記ポンプ作用による輸送ステップが、前記物質を前記生体内に注入することを含む方法。
【請求項４７】
請求項４４において、前記ポンプ作用による輸送ステップが、前記物質を前記リザーバに吸入することを含む方法。
【請求項４８】
請求項４４において、さらに、前記針を前記生体内に貫入するのに必要な力を減らすため、前記終端部の長手方向に沿って振動を発生させるステップを含む方法。
【請求項４９】
請求項４４において、さらに、前記生体の状態を監視するステップを含み、この生体が患者である方法。
【請求項５０】
請求項４９において、前記状態が、患者のグルコース濃度の状態である方法。
【請求項５１】
請求項５０において、前記物質が、患者に注入されるインシュリンであり、このインシュリンの量が、前記グルコース濃度に基づいている方法。
【請求項５２】
請求項４４において、さらに、コントローラを用いて前記輸送装置に動作指令を与えるステップを含む方法。
【請求項５３】
請求項４４において、さらに、前記針を前記リザーバに対して移動させることにより、該針の始端部がリザーバ内に移動することを含む方法。
【請求項５４】
請求項５３において、前記挿入ステップが１本以上の追加の針を挿入することを含み、各針が、前記輸送装置が体表面に置かれたときに、該体表面と平行な面にほぼ整列する終端部を有し、さらに前記物質が通って輸送されるボアを有する方法。
【請求項５５】
特定成分の物質を収容するリザーバを有する輸送装置を生体の体表面に置くステップと、
前記リザーバと生体との間で前記物質を輸送する針を前記生体に挿入するステップと、
前記針が、前記輸送装置を前記体表面に置いたときに該体表面と平行な面にほぼ整列する終端部を有し、この終端部が傾斜した先端を有しており、この先端に開口を設けて、前記物質を該開口を介して輸送することにより、前記生体内への前記物質の拡散方向を制御するステップとを含む、特定成分の物質を輸送する方法。
【請求項５６】
請求項５５において、前記挿入ステップが、１本以上の追加の針を挿入することを含む方法。
【請求項５７】
請求項５５において、前記先端が約１０°〜６０°で傾斜している方法。
【請求項５８】
特定成分の物質を収容するリザーバを有する輸送装置を生体の体表面に置くステップと、
中空経路を有する針を生体内に挿入するステップであって、
前記中空経路を通して前記物質が前記針の端部と前記リザーバとの間で輸送され、前記端部が長手方向に沿って複数の開口を有し、前記物質がこの複数の開口を介して輸送されるステップとを含む、特定成分の物質を輸送する方法。
【請求項５９】
請求項５８において、前記挿入ステップが、１本以上の追加の針を挿入することを含む方法。
【請求項６０】
請求項５８において、前記針が１個〜２０個の開口を有している方法。
【請求項６１】
請求項５８において、前記開口が約１００μｍ〜２ｍｍの間隔で離れている方法。
【請求項６２】
特定成分の物質を収容するリザーバを有する輸送装置を生体の体表面に置き、
針を前記生体に挿入し、
前記針のボアを通して、前記生体の目標部位と前記リザーバとの間で前記物質をポンプ作用で輸送し、
前記ポンプ作用による輸送を制御して、前記生体の入力特性に依存する所望の量の前記物質を輸送することを含む、特定成分の物質を輸送する方法。
【請求項６３】
請求項６２において、前記ポンプ作用による輸送ステップが、前記リザーバから前記所望の量の物質を特定の期間にわたって注入することを含む方法。
【請求項６４】
請求項６３において、前記期間が約１秒〜１０日である方法。
【請求項６５】
請求項６３において、前記ポンプ作用による輸送ステップが、前記所望の量の物質を時間の経過とともに増加するように輸送することを含む方法。
【請求項６６】
請求項６２において、前記生体が人間の患者である方法。
【請求項６７】
請求項６６において、前記物質が、特定の期間にわたって患者から前記リザーバに吸引されて採取されるサンプルである方法。
【請求項６８】
特定成分の物質を収容する手段と、
前記物質を前記収容手段と生体の目標部位との間で輸送する手段であって、第１端部および第２端部を有し、経皮的輸送装置が前記生体の体表面に置かれたとき、前記第２端部が前記体表面と平行な面にほぼ整列する手段と、
前記物質を前記生体の前記目標部位と前記輸送手段の前記第１端部との間でポンプ作用により輸送する手段と、を含む経皮的輸送装置。
【請求項６９】
請求項２２において、前記針の曲げ部の曲げ角度が１８０°よりも小さい経皮的輸送装置。
【請求項７０】
請求項６９において、前記曲げ角度が９０°である経皮的輸送装置。
【請求項７１】
特定成分の物質を収容するリザーバと、
ボアおよび曲げ部を有する針と、
この針の前記ボアを通して生体の目標部位とリザーバとの間で物質をポンプ作用で輸送するアクチュエータと、
を備えた経皮的輸送装置であって、
前記ボアが針の第１端部から針の第２端部までの針の長さに沿って延びており、前記装置が前記生体の体表面に置かれたとき、前記第２端部が前記体表面と平行な面にほぼ整列する経皮的輸送装置。
【請求項７２】
体表面を通して物質を輸送する輸送装置であって、
前記装置を前記体表面に付着させる複数の針と、
前記複数の針のうちの少なくとも１本と前記体表面とを通して前記物質を輸送するアクチュエータと、
を備えた輸送装置。
【請求項７３】
請求項７２において、各針が前記体表面の目標部位にほぼ横方向に貫入する輸送装置。
【請求項７４】
請求項７２において、さらに、前記体表面の一部を持ち上げる手段を有し、前記針が前記持ち上げられた皮膚の側面に貫入する輸送装置。
【請求項７５】
請求項７２において、前記複数の針のうちの少なくとも２本が、互いに異なる方向から前記体表面に貫入する輸送装置。
【請求項７６】
請求項７２において、前記複数の針が、軸回りに回転して、前記装置を前記体表面に付着させる輸送装置。
【請求項７７】
請求項７２において、さらに、前記複数の針のうちの少なくとも２本を軸回りに動かすアクチュエータを備えた輸送装置。
【請求項７８】
請求項７７において、前記少なくとも２本の針が、前記体表面の目標部位にほぼ横方向に貫入する輸送装置。
【請求項７９】
請求項７７において、前記少なくとも２本の針が、ロータリ・アクチュエータによって動かされて、前記体表面の第１および第２部位にほぼ横方向に貫入する輸送装置。
【請求項８０】
請求項７７において、前記ロータリ・アクチュエータが、前記体表面とほぼ平行な面において前記少なくとも２本の針の各端部を移動させる輸送装置。
【請求項８１】
請求項７７において、前記アクチュエータが前記少なくとも２本の針を軸回りに回転させる輸送装置。
【請求項８２】
請求項７２において、さらに、前記体表面の第１および第２部位を移動させる手段を備え、
前記複数の針のうちの第１針が、前記体表面の移動させられた前記第１部位にほぼ横方向に貫入し、前記複数の針のうちの第２針が、前記体表面の移動させられた前記第２部位にほぼ横方向に貫入する輸送装置。
【請求項８３】
請求項８２において、前記第１および第２針のそれぞれが、互いに異なる方向から前記第１部位および第２部位にほぼ横方向に貫入する輸送装置。
【請求項８４】
請求項７２において、さらに、前記体表面の一部を移動させる手段を有し、前記針が前記持ち上げられた皮膚の側面に貫入する輸送装置。
【請求項８５】
表面を有する物体に物質を送達する輸送装置であって、
前記物質を収容するリザーバと、
前記物質が前記リザーバと前記体との間で輸送される際に通る針と、
前記物質を前記リザーバと前記物体との間で輸送するアクチュエータと、
前記物体の状態を測定するセンサと、
前記アクチュエータに所望の量の物質を輸送するよう指令するコントローラと、
を備え、
前記所望の量は前記測定された状態に基づく輸送装置。
【請求項８６】
物質を輸送する方法であって、
前記物質を収容するリザーバを有する投与装置を生体の体表面上に配置し、
前記装置を前記体表面に付着させる複数の針を前記生体内に貫入させ、
前記生体の目標部位と前記リザーバとの間で前記複数の針のうちの少なくとも1本のボアを通して前記物質を輸送し、
前記生体の状態に基づき前記物質の輸送を制御する、
ことを含む方法。